(57)【要約】【課題】演奏者と聴衆とのスキンシップによって音を出力して演奏する演奏装置において、音の強弱の変化を可能とした演奏装置を提供する。【解決手段】第１の人体に接する第１の電極と、第２の人体に接する第２の電極と、第１の人体と第２の人体とが接触することにより第１の電極と第２の電極との間が通電状態となったことを検出して所定の信号を出力する通電検出部と、この通電検出部から出力された信号に基づいて所定のオーディオ信号を出力するオーディオ信号出力部と、このオーディオ信号出力部から出力されたオーディオ信号に基づいて音を出力するスピーカとを備えた演奏装置であって、通電検出部は、人体の地面との電気的な接続に基づいて発生するノイズによる通電状態の誤検出を防止するノイズ除去手段を有し、出力する信号のレベルを通電状態における通電量に応じて調整して出力し、スピーカから出力させる音の大きさを調整する。【選択図】図１
2008058742.tif 000002
【特許請求の範囲】
【請求項１】
第１の人体に接する第１の電極と、
第２の人体に接する第２の電極と、
前記第１の人体と前記第２の人体とが接触することにより前記第１の電極と前記第２の電極との間が通電状態となったことを検出して所定の信号を出力する通電検出部と、
この通電検出部から出力された前記信号に基づいて所定のオーディオ信号を出力するオーディオ信号出力部と、
このオーディオ信号出力部から出力された前記オーディオ信号に基づいて音を出力するスピーカと
を備えた演奏装置であって、
前記通電検出部は、前記第１の人体及び／または前記第２の人体の地面との電気的な接続に基づいて発生するノイズによる前記通電状態の誤検出を防止するノイズ除去手段を有し、出力する前記信号のレベルを前記通電状態における通電量に応じて調整して出力し、前記スピーカから出力させる音の大きさを調整する演奏装置。
【請求項２】
前記ノイズ除去手段は、発光ダイオードとフォトトランジスタとを備え、前記発光ダイオードで電気信号を光信号に変換するとともに、この光信号を前記フォトトランジスタで電気信号に変換することにより前記ノイズを除去することを特徴とする請求項１記載の演奏装置。
【請求項３】
前記通電検出部は送信機と受信機を備え、前記通電状態の検出にともなって出力する信号を前記送信機から前記受信機に送信し、この受信機から前記オーディオ信号出力部に入力する信号を出力するとともに、
前記送信機は、導電製の取っ手で構成した前記第１の電極及び前記第２の電極を装着した絶縁性の支持体に配設したことを特徴とする請求項１または請求項２に記載の演奏装置。
【請求項４】
前記支持体は、外周縁に沿って前記取っ手を所定間隔で複数配設し、いずれか１つを前記第１の電極とし、他の前記取っ手を全て前記第２の電極とするとともに、前記第２の電極にそれぞれ近接させて、前記スピーカから出力させる音の種類を変更する切替用スイッチを設けたことを特徴とする請求項３記載の演奏装置。
【請求項５】
前記支持体には、前記第１の電極にそれぞれ近接させて、前記スピーカから出力させる音の種類を変更する切替用スイッチを設けたことを特徴とする請求項３または請求項４に記載の演奏装置。
【請求項６】
前記受信機は、前記支持体が着脱自在に装着される保持台に配置したことを特徴とする請求項３〜５のいずれか１項に記載の演奏装置。
【請求項７】
前記通電検出部は送信機と受信機を備え、前記送信機を前記第１の電極を備えた第１の基体に内蔵させるとともに、前記第２の電極を備えた第２の基体には所定の電気信号を前記第２の電極から出力する信号出力器を内蔵させて、
前記送信機は、前記信号出力器から出力された前記電気信号の検出により前記通電状態を検出し、この通電状態の検出に基づいて出力する信号を前記送信機から前記受信機に送信し、この受信機から前記オーディオ信号出力部に入力する信号を出力することを特徴とする請求項１記載の演奏装置。
【発明の詳細な説明】
【技術分野】
【０００１】
本発明は、演奏装置に関するものであり、特に人体を伝導する電気信号を利用して人体の接触により音を出力し、演奏を行う演奏装置に関するものである。
【背景技術】
【０００２】
従来、様々な楽器を用いて演奏が行われているが、最近では、ＭＩＤＩ（Musical Instrument Digital Interface）音源を用いたデジタル的な楽器が開発され、従来の楽器とは異なる演奏形態が可能となっている。
【０００３】
特に、このようなデジタル的な楽器では、オン・オフの切替えが可能なセンサを用い、このセンサのオン・オフの切替えに基づいて音をスピーカから出力しており、たとえば演奏者の手首、肘、肩にそれぞれセンサを配設して、手首の動き、肘の動き、肩の動きによってそれぞれのセンサのオン・オフの切替えを行って演奏可能とし、身体の動きに連動した音楽を演奏する装置も提案されている（例えば、特許文献１参照。）。
【０００４】
本発明者らは、音楽は人と人とのコミュニケーションツールであるにもかかわらず、演奏者と聴衆に二分される面があることに常々不満を覚えており、演奏者と聴衆とがより密接に関わった演奏ツールを提供できないかと検討を重ね、人体内通信を利用することにより演奏者と聴衆との皮膚接触を利用して音を出力可能とした演奏装置を開発した。
【０００５】
すなわち、この演奏装置は、演奏者の指に装着する真鍮製の第１の指輪と、聴衆の指に装着する真鍮製の第２の指輪とを用い、第１の指輪と第２の指輪にはそれぞれ導線を接続し、たとえば第１の指輪に接続した導線は電源に接続するとともに、第２の指輪に接続した導線は第１の指輪と第２の指輪との間が導通状態となったことを検出するセンサの入力部に接続して、このセンサで第１の指輪と第２の指輪との間の導通を検出している。
【０００６】
そして、演奏装置では、センサから第１の指輪と第２の指輪との間の導通・非導通に基づいてオン・オフ切替えを行う制御信号を出力し、このオン・オフ信号をＭＩＤＩ音源に入力し、このＭＩＤＩ音源に接続したスピーカから制御信号に基づいて所定の音を出力して演奏を可能としている。
【０００７】
ここで、演奏装置では、第１の指輪と第２の指輪とを接続する導電体を演奏者及び聴衆としているものであって、第１の指輪を装着した演奏者が、第２の指輪を装着した聴衆に触れることにより、あるいは第２の指輪を装着した聴衆が第１の指輪を装着した演奏者に触れることにより第１の指輪と第２の指輪との間が導通状態となって音の出力を行っており、特に、複数の聴衆にそれぞれ第２の指輪を装着させ、各聴衆にたとえばドラムの各楽器の音を割り当てておくことにより、ドラムとして機能する演奏装置を提案している（例えば、非特許文献１参照。）。
【特許文献１】特開平１０−０９７２４４号公報
【非特許文献１】馬場哲晃、富松潔、「人と触れ合う電子楽器のデザインと作成〜Freqtric Drums〜」、日本デザイン学会、デザイン学研究、BULLETIN OF JSSD 2005、ｐｐ．９６−９７
【発明の開示】
【発明が解決しようとする課題】
【０００８】
しかしながら本発明者らが開発した演奏装置は、未だ以下の不具合を有していた。すなわち、演奏装置では、第１の指輪と第２の指輪との間の通電状態を検出してオン・オフ制御を行っているだけであるので、音の強弱の変化がなく、演奏における表現の幅が限られるという不具合があった。
【０００９】
本発明者らは、音の強弱の変化を可能とすべく研究開発を行って、本発明を成すに至ったものである。
【課題を解決するための手段】
【００１０】
本発明の演奏装置では、第１の人体に接する第１の電極と、第２の人体に接する第２の電極と、第１の人体と第２の人体とが接触することにより第１の電極と第２の電極との間が通電状態となったことを検出して所定の信号を出力する通電検出部と、この通電検出部から出力された信号に基づいて所定のオーディオ信号を出力するオーディオ信号出力部と、このオーディオ信号出力部から出力されたオーディオ信号に基づいて音を出力するスピーカとを備えた演奏装置であって、通電検出部は、第１の人体及び／または第２の人体の地面との電気的な接続に基づいて発生するノイズによる通電状態の誤検出を防止するノイズ除去手段を有し、出力する信号のレベルを通電状態における通電量に応じて調整して出力し、スピーカから出力させる音の大きさを調整することとした。
【００１１】
さらに、以下の点にも特徴を有するものである。すなわち、
（１）ノイズ除去手段は、発光ダイオードとフォトトランジスタとを備え、発光ダイオードで電気信号を光信号に変換するとともに、この光信号をフォトトランジスタで電気信号に変換することによりノイズを除去すること。
（２）通電検出部は送信機と受信機を備え、通電状態の検出にともなって出力する信号を送信機から受信機に送信し、この受信機からオーディオ信号出力部に入力する信号を出力するとともに、送信機は、導電製の取っ手で構成した第１の電極及び第２の電極を装着した絶縁性の支持体に配設したこと。
（３）支持体は、外周縁に沿って取っ手を所定間隔で複数配設し、いずれか１つを第１の電極とし、他の取っ手を全て第２の電極とするとともに、第２の電極にそれぞれ近接させて、スピーカから出力させる音の種類を変更する切替用スイッチを設けたこと。
（４）支持体には、第１の電極にそれぞれ近接させて、スピーカから出力させる音の種類を変更する切替用スイッチを設けたこと。
（５）受信機は、支持体が着脱自在に装着される保持台に配置したこと。
（６）通電検出部は送信機と受信機を備え、送信機を第１の電極を備えた第１の基体に内蔵させるとともに、第２の電極を備えた第２の基体には所定の電気信号を第２の電極から出力する信号出力器を内蔵させて、送信機は、信号出力器から出力された電気信号の検出により通電状態を検出し、この通電状態の検出に基づいて出力する信号を送信機から受信機に送信し、この受信機からオーディオ信号出力部に入力する信号を出力すること。
【発明の効果】
【００１２】
請求項１記載の発明によれば、通電検出部は、第１の人体及び／または第２の人体の地面との電気的な接続に基づいて発生するノイズによる通電状態の誤検出を防止するノイズ除去手段を有し、出力する信号のレベルを通電状態における通電量に応じて調整して出力したことによって、スピーカから出力させる音の大きさを調整することができ、演奏における表現の幅を広げることができる。特に、本発明では、ノイズ除去手段を設けたことによりダイナミックレンジを大きくすることができるとともに、出力する信号のレベル調整において、通電状態における通電量の変化率に正比例的に変化する領域を用いて調整することができるので、演奏者の所望する音を出力させやすくすることができる。
【００１３】
請求項２記載の発明によれば、請求項１記載の演奏装置において、ノイズ除去手段は、発光ダイオードとフォトトランジスタとを備え、発光ダイオードで電気信号を光信号に変換するとともに、この光信号をフォトトランジスタで電気信号に変換することによりノイズを除去することによって、極めて容易に特定のノイズだけを除去できる。
【００１４】
請求項３記載の発明によれば、請求項１または請求項２に記載の演奏装置において、通電検出部は送信機と受信機を備え、通電状態の検出にともなって出力する信号を送信機から受信機に送信し、この受信機からオーディオ信号出力部に入力する信号を出力するとともに、送信機は、導電製の取っ手で構成した第１の電極及び第２の電極を装着した絶縁性の支持体に配設したことによって、通電状態を検出する閉回路の回路長さを短くすることができ、ノイズの発生を抑制しやすくすることができる。さらに、第１の電極及び第２の電極を装着した支持体で構成される通電検出部をワイヤレス化することができ、演奏の自由度を向上させることができる。
【００１５】
請求項４記載の発明によれば、請求項３記載の演奏装置において、支持体は、外周縁に沿って取っ手を所定間隔で複数配設し、いずれか１つを第１の電極とし、他の取っ手を全て第２の電極とするとともに、第２の電極にそれぞれ近接させて、スピーカから出力させる音の種類を変更する切替用スイッチを設けたことによって、複数種類の音を出力可能とするとともに、容易に調整可能として演奏の自由度を向上させることができる。
【００１６】
請求項５記載の発明によれば、請求項３または請求項４に記載の演奏装置において、支持体には、第１の電極にそれぞれ近接させて、スピーカから出力させる音の種類を変更する切替用スイッチを設けたことによって、複数種類の音を出力可能とするとともに、容易に調整可能として演奏の自由度を向上させることができる。
【００１７】
請求項６記載の発明によれば、請求項２〜４のいずれか１項に記載の演奏装置において、受信機は、支持体が着脱自在に装着される保持台に配置したことによって、通電検出部、オーディオ信号出力部、スピーカをそれぞれ接続する配線を目立たなくしながら所定位置に配置でき、演奏装置の美観を向上させることができる。
【００１８】
請求項７記載の発明によれば、請求項１記載の演奏装置において、通電検出部は送信機と受信機を備え、送信機を第１の電極を備えた第１の基体に内蔵させるとともに、第２の電極を備えた第２の基体には所定の電気信号を第２の電極から出力する信号出力器を内蔵させて、送信機は、信号出力器から出力された電気信号の検出により通電状態を検出し、この通電状態の検出に基づいて出力する信号を送信機から受信機に送信し、この受信機からオーディオ信号出力部に入力する信号を出力することによって、通電状態を検出するための経路の長さを短くすることができ、ノイズの発生を抑制しやすくすることができるだけでなく、演奏者及び聴衆の行動が規制を受けることがないことによって、演奏の自由度を向上させることができる。
【発明を実施するための最良の形態】
【００１９】
本発明の演奏装置は、第１の人体に接する第１の電極と、第２の人体に接する第２の電極と、第１の人体と第２の人体とが皮膚接触することにより第１の電極と第２の電極との間が通電状態となったことを検出して所定の信号を出力する通電検出部と、この通電検出部から出力された信号に基づいて所定のオーディオ信号を出力するオーディオ信号出力部と、このオーディオ信号出力部から出力されたオーディオ信号に基づいて音を出力するスピーカとを備えた演奏装置であり、特に、通電検出部には、第１の人体及び／または第２の人体の地面との電気的な接続に基づいて発生するノイズによる通電状態の誤検出を防止するノイズ除去手段を設けておくことにより、通電検出部から出力する信号のレベルを通電状態における通電量に応じて調整して出力して、スピーカから出力させる音の大きさを調整可能としているものである。
【００２０】
このように、スピーカから出力させる音の大きさを調整可能としたことによって、演奏者が所望の音を出力させることができ、表現力の豊かな演奏を行うことができる。
【００２１】
さらに、通電検出部ではノイズ除去手段によってノイズの除去処理が行われていることにより、ダイナミックレンジを大きくすることができるとともに、出力する信号のレベル調整において、通電状態における通電量の変化率に正比例的に変化する領域を用いて調整することができるので、演奏者が所望する音を出力させやすくすることができる。
【００２２】
以下において、本発明の実施形態を図面に基づいて詳説する。図１は、本実施形態の演奏装置の概略図である。
【００２３】
本実施形態の演奏装置は、複数の電極が設けられた電極ボード10と、この電極ボード10の不使用時に電極ボード10を掛け置いておく保持台20と、後述するように電極ボード10で検出した信号に基づいて所定のオーディオ信号を出力するオーディオ信号出力部であるＭＩＤＩ音源30と、このＭＩＤＩ音源30から出力されたオーディオ信号に基づいて音を出力するスピーカ40とで構成している。
【００２４】
電極ボード10は、本実施形態では、絶縁材料で形成した円盤状の支持体11で構成し、本実施形態では、図２及び図３に示すように、支持体11の外周縁に中心方向に向けて窪ませた第１凹部12aと、第２凹部12bと、第３凹部12cと、第４凹部12dとを、支持体11の外周縁に沿って等間隔に設けており、この第１〜４凹部12a〜dには、それぞれ支持体11の外周縁に略沿わせて配置した棒状の第１電極13aと、第２電極13bと、第３電極13cと、第４電極13dとを設け、この第１〜４電極13a〜dを取っ手としている。
【００２５】
支持体11は、本実施形態では木製としており、外観及び手触り感において楽器らしくしている。
【００２６】
第１〜４電極13a〜dは、図２〜４に示すように、本実施形態では、両端部分に支持体11の中心方向に向けて屈曲させて形成した連結アームｆを設けており、この連結アームｆの先端を支持体11に木ネジなどを用いて固定的に接続して、第１〜４電極13a〜dを支持体11に装着している。なお、第１〜４電極13a〜dは、必ずしも両端を屈曲させてＵ字状となっている必要はなく、第１〜４凹部12a〜dの形成部分に棒状の第１〜４電極を架設状に配設してもよい。
【００２７】
本実施形態では、第１〜４電極13a〜dはステンレス製としており、十分な通電性が得られるとともに、錆が生じにくく、メンテナンスを容易としている。また、本実施形態では、第１〜４電極13a〜dの４つの電極を設けているが、電極は、２つであってもよいし、３つであってもよいし、５つ以上であってもよい。
【００２８】
図５は、本実施形態の演奏装置の概略的な回路構成を示した回路図であって、説明の便宜上、電極ボード10を構成する支持体11に設けた第１電極13aと第２電極13bとの関係を示しており、電極ボード10を構成する支持体11の裏面には、第１電極13aと第２電極13bとの間が通電状態となったことを検出する通電検出回路15と、この通電検出回路15での通電状態の検出に基づいて出力する信号を無線通信するための送信機16を設けている。
【００２９】
図３及び図４中、17は通電検出回路15及び送信機16を収容した矩形体状の回路ボックスであり、18は通電検出回路15に駆動用の電力を供給するための駆動電源、19は送信機16に接続した送信用アンテナである。駆動電源18は乾電池で構成している。
【００３０】
通電検出回路15では、駆動電源18から生成した５Ｖの基準電圧源に一端を接続した第１抵抗器r1と、この第１抵抗器r1の他端に接続した発光ダイオードLEDと、この発光ダイオードLEDの他端にコレクタを接続するとともにエミッタを接地したトランジスタTrを有し、このトランジスタTrのベースには第２電極13bを接続して、後述するようにこの第２電極13bと導通状態となる第１電極13aと、この第１電極13aに一端を接続した第２抵抗器r2と、この第２抵抗器r2の他端に接続した調整用の可変抵抗器VRと設け、さらに、発光ダイオードLEDの通電による発光を検出するフォトトランジスタPTを設けて、このフォトトランジスタPTの一端を第３抵抗器r3を介して基準電圧源に接続するとともに、フォトトランジスタPTの一端を接地している。第２抵抗器r2に接続した可変抵抗器VRの他端は、基準電圧源に接続している。
【００３１】
したがって、演奏者Ｐが片手で第１電極13aを握るとともに、聴衆Ｑの一人が片手で第２電極13bを握り、演奏者Ｐが聴衆Ｑに触れると、または聴衆Ｑが演奏者Ｐに触れるとトランジスタTrにベース電流が通電されてトランジスタTrに通電が生じ、このトランジスタTrの通電状態に応じて発光ダイオードLEDを所定の光量で発光させることができる。
【００３２】
発光ダイオードLEDの発光にともなって、フォトトランジスタPTは発光ダイオードLEDの発光量に応じた通電状態となり、フォトトランジスタPTと第３抵抗器r3の間の電位が所定電位となって、この電位を出力信号とする第１信号S1をマイクロコンピュータPICに入力している。
【００３３】
このように、演奏者Ｐ及び聴衆Ｑを介して第１電極13aと第２電極13bとが導通状態となることによって生じた電気信号を発光ダイオードLEDで光信号に一旦変換し、この光信号をフォトトランジスタPTで電気信号に変換することによって、第２電極13bに接続された聴衆Ｑが地面と電気的に接触することにより発生するノイズや、あるいは第１電極13aに接続された演奏者Ｐが地面と電気的に接触することにより発生するノイズを除去することができ、ノイズの影響を解消できる。
【００３４】
すなわち、第２電極13bに接続された聴衆Ｑが地面と電気的に接触することにより発生するノイズや、あるいは第１電極13aに接続された演奏者Ｐが地面と電気的に接触することにより発生するノイズは、地面との瞬間的な接触による極めて短時間の導通状態であるので、発光ダイオードLED及びフォトトランジスタPTの応答速度がこのような短時間の導通状態で応答できないことを利用してノイズの除去を行っているものである。つまり、発光ダイオードLEDとフォトトランジスタPTとはノイズ除去手段であり、単体の発光ダイオードLEDとフォトトランジスタPTを用いる代わりに、フォトカプラを用いてもよい。
【００３５】
特に、このように光学的なノイズ除去手段を用いることによって、第１電極13aと第２電極13bとの間の導通状態の適正な検出を瞬時的に検出する一方で、ノイズの確実な除去を行うことができる。
【００３６】
マイクロコンピュータPICは、入力された第１信号S1の電圧値に応じて生成した第２信号S2を送信機16に入力し、送信機16では、この送信機16から送信された無線信号を受信する設定が施された受信機21に第２信号S2を送信している。
【００３７】
受信機21は保持台20に装着しており、受信機21は送信機16から送信された第２信号S2を受信して、受信した第２信号S2に応じた第３信号S3を生成して出力している。このように、第１電極13aと第２電極13bとの間が導通状態となったことを検出して第３信号S3を出力する通電検出回路15と送信機16と受信機21とで通電検出部を構成している。
【００３８】
受信機21から出力された第３信号S3はＭＩＤＩ音源30に入力し、ＭＩＤＩ音源30では、第３信号S3に基づいて所定のオーディオ信号S4を生成して出力し、このオーディオ信号S4をスピーカ40に入力して所定の音を出力している。
【００３９】
特に、本実施形態の演奏装置では、演奏者Ｐと聴衆Ｑの通電状態によってトランジスタTrに通電されるベース電流を調整でき、発光ダイオードLEDの発光量を調整することができる。
【００４０】
演奏者Ｐと聴衆Ｑの通電状態は、演奏者Ｐと聴衆Ｑとの皮膚接触の接触面積が大きい場合には接触抵抗が小さくなって大きなベース電流となり、演奏者Ｐと聴衆Ｑとの接触面積が小さい場合には接触抵抗が大きくなって小さなベース電流となる。
【００４１】
すなわち、たとえば演奏者Ｐが手のひらで聴衆Ｑに触れたり、叩くように強く触れたりした場合には大きなベース電流となり、演奏者Ｐが指先で聴衆Ｑに触れたり、微かに触れたりした場合には小さなベース電流となる。
【００４２】
ベース電流が大きい場合には、発光ダイオードLEDに大きな電流が流れて発光ダイオードLEDが強く発光し、フォトトランジスタPTに大きな電位を生じさせてマイクロコンピュータPICに大きな電圧値の第１信号S1が入力される。一方、ベース電流が小さい場合には、発光ダイオードLEDに小さな電流が流れて発光ダイオードLEDが弱く発光し、フォトトランジスタPTに小さな電位を生じさせてマイクロコンピュータPICに小さな電圧値の第１信号S1が入力される。
【００４３】
このように、演奏装置では、第２信号S2及び第３信号S3を第１信号S1の大小に応じた信号として、たとえば演奏者Ｐが手のひらで聴衆Ｑに触れたり、叩くように強く触れたりした場合にはスピーカ40から大きな音を出力し、演奏者Ｐが指先で聴衆Ｑに触れたり、微かに触れたりした場合にはスピーカ40から小さな音を出力可能として、大小に調整された音を出力可能とすることにより演奏者Ｐの所望する音を出力させやすくすることができる。
【００４４】
特に、発光ダイオードLEDとフォトトランジスタPTとでノイズ除去手段を構成していることによって、通電検出回路15はノイズの影響を受けにくいので、トランジスタTrの出力がベース電流に正比例的に変化する領域を利用することができ、演奏者Ｐが所望する音を出力させやすくすることができる。
【００４５】
ちなみに、本実施形態では、第１抵抗器r1は10Ω、第２抵抗器r2は220Ω、第３抵抗器r3は1.2kΩ、可変抵抗器VRは10KΩであって、ノイズ除去手段としてのフォトカプラにMI0202CLを用いている。
【００４６】
図５では、上述したように第１電極13aと第２電極13bとの関係を示しているが、第３電極13c及び第４電極13dも第２電極13bに接続した回路と同様の回路を接続し、互いに並列させており、詳細な説明は省略する。図３及び図４中、L1は第１電極13aに接続した第１導線、L2は第２電極13bに接続した第２導線、L3は第３電極13cに接続した第３導線、L4は第４電極13dに接続した第４導線であって、これらの第１〜４導線L1〜4を介して、各電極13a〜dを回路ボックス17内の回路に接続している。
【００４７】
また、図３及び図４中、ｇは電源スイッチであり、ｈは図５における可変抵抗器VRを調整する調整ノブである。この調整ノブｈで可変抵抗器VRを調整することにより、第１電極13aと第２〜４電極13b〜dとの間の導通状態の検出感度を調整している。
【００４８】
さらに、図３〜５中、ｋは第１電極13aと第２〜４電極13b〜dとの間がそれぞれ導通状態になった際にスピーカ40から出力する音の種類を選択する切替スイッチであって、この切替スイッチｋによる調整によってマイクロコンピュータPICから出力する信号を調整し、所定の音の出力を可能としている。具体的には打楽器の１つを選択可能としており、切替スイッチｋによる選択状態は、図２に示すように、支持体11の中央部に設けた液晶表示部14に表示している。
【００４９】
切替スイッチｋは、支持体11の裏面に突出状に設けた矩形体状の回路ボックス17の壁面であって、特に第２〜４電極13b〜dにそれぞれ面した壁面に設けることにより第２〜４電極13b〜dに近接させて配置して、切替スイッチｋによる調整を容易に行うことができる。
【００５０】
また、他の実施形態として、図６に示すように、支持体11の表面の第１電極13aに近接させた位置に、第１モード選択ボタンm1、第２モード選択ボタンm2、第３モード選択ボタンm3を設けて、第１〜３モード選択ボタンm1〜3によりモード切替えを可能とし、モード切替えによって第２〜４電極13b〜dに割り付けた楽器の種類を切替え可能として、比較的少ない数の電極で多種類の音を出力可能とすることができ、演奏のバリエーションを増大させることができる。
【００５１】
特に、第１〜３モード選択ボタンm1〜3で構成される切替用スイッチは、第１電極13aに近接させて設けることにより、演奏者Ｐによる第１〜３モード選択ボタンm1〜3の操作を容易に行うことができる。
【００５２】
本実施形態の演奏装置では、第１電極13aと第２電極13b間、第１電極13aと第３電極13c間、第１電極13aと第４電極13d間の導通状態を検出する通電検出部に、通電検出回路15とともに送信機16と受信機21とを内蔵させていることにより、第１から４電極13a〜dが設けられた支持体11をワイヤレス化することができ、演奏の自由度を向上させることができる。
【００５３】
特に、受信機21は、電極ボード10の不使用時に、図７に示すように電極ボード10を着脱自在に掛け置いておく保持台20に内蔵させておくことにより、受信機21を目立たなくすることができ、楽器としての外観を向上させることができる。
【００５４】
また、電極ボード10では、複数の電極が設けられた支持体11の裏面に通電検出回路15を設けていることにより、通電検出回路15を各電極13a〜dに近接させることができるので、通電状態を検出する回路における配線の長さを短くすることができ、ノイズの発生を抑制しやすくすることができる。
【００５５】
他の実施形態として、上述した電極ボード10を用いるのではなく、演奏者及び聴衆がそれぞれ装着可能とした基体に電極を設け、この基体をそれぞれ装着した演奏者と聴衆とが皮膚接触することにより音を出力するようにしてもよい。
【００５６】
具体的には、電極が設けられる基体は指に密に装着可能な指輪や、手首に密に装着可能な時計あるいはブレスレットなどとすることにより、演奏者及び聴衆の行動の自由度を向上させて、演奏の自由度を向上させることができる。なお、基体は、必ずしも輪状になっている必要はなく、適宜のシート状のシール材で基体を人体に密に貼り付け可能としてもよい。
【００５７】
図８は、基体を指輪とした場合の実施形態を示しており、この演奏装置では、演奏者P'が装着する第１基体51と、聴衆Q'が装着する第２基体52を有し、第２基体52には所定の基準電気信号を出力する信号出力器を内蔵させるとともに、第１基体51には人体内通信によって第２基体52から伝送された基準電気信号を検出する検出回路（図示せず）と、この検出回路での基準電気信号の検出に基づいて生成した検出信号を無線通信する送信機（図示せず）を内蔵させ、この送信機から送信された検出信号をＭＩＤＩ音源30に接続した受信機53で検出し、ＭＩＤＩ音源30に検出信号を入力してオーディオ信号を生成し、このオーディオ信号をスピーカ40に入力して所定の音を出力している。
【００５８】
信号出力器では、たとえば所定のデューティ比のパルス波とした基準電気信号を、聴衆Q'の人体に接した電極（図示せず）から出力している。なお、基準電気信号はパルス波に限定するものではなく、適宜の波形の信号としてもよい。
【００５９】
検出回路は、演奏者P'と聴衆Q'とが皮膚接触することによって聴衆Q'から演奏者P'に人体内通信によって伝送された基準電気信号を、第１基体51に設けた電極で受信して検出している。このとき、検出回路では、皮膚接触の接触抵抗に応じた基準電気信号の入力レベルも検出している。さらに、検出回路にはフォトカプラ（図示せず）で構成したノイズ除去手段を設けて、演奏者P'または聴衆Q'と地面との電気的な接続に基づいて発生するノイズを除去している。
【００６０】
送信機は、検出回路から出力された検出信号を受信機53に向けて送信している。ここで、検出信号は、検出した聴衆Q'を特定する情報と、基準電気信号の入力レベルの情報とを含んだ信号としている。
【００６１】
受信機53は、送信機から送信された検出信号を受信して、ＭＩＤＩ音源30に入力している。ここで、受信機53では、受信した検出信号に基づく出力をどの楽器の音として出力するか調整しており、この楽器情報を含んだ信号に変換してＭＩＤＩ音源30に入力している。
【００６２】
したがって、演奏装置では、演奏者P'が聴衆Q'に触れる、または聴衆Q'が演奏者P'に触れることによってスピーカ40から所定の音を出力でき、しかも接触状態によって出力する音の大きさを調整していることよって、演奏者P'が所望する音を出力させることができ、表現力の豊かな演奏を行うことができる。
【００６３】
しかも、第１基体51及び第２基体52は人体に接する電極を備えるとともに人体に装着され、しかも検出信号は無線信号によって伝送されることによって、第１基体51及び第２基体52をワイヤレス化して演奏者P'及び聴衆Q'の行動の自由度を高めることができ、よりバリエーションに富んだ演奏を可能とすることができる。
【００６４】
ここで、第２基体52は１つだけでなく複数として、複数の聴衆に装着させることにより多種類の音を出力可能とすることができる。
【００６５】
本実施形態では、演奏者P'が装着する第１基体51に送信機を設け、聴衆Q'が装着する第２基体52に信号出力器を設けているが、演奏者P'が装着する第１基体51に信号出力器を設け、聴衆Q'が装着する第２基体52に送信機をそれぞれ設けてもよい。
【００６６】
上述した実施形態では、説明の便宜上、一人の演奏者と一人または複数の聴衆が使用するものとして説明を行っているが、それぞれの音に対応した複数の演奏者が、通電検出のための一人の演奏者または一人の聴衆に触れて演奏を行ってもよい。
【図面の簡単な説明】
【００６７】
【図１】本発明の実施形態にかかる演奏装置の概略図である。
【図２】電極ボードの平面図である。
【図３】電極ボードの背面図である。
【図４】電極ボードの背面斜視図である。
【図５】本発明の実施形態にかかる演奏装置の概略的な回路構成を示した回路図である。
【図６】他の実施形態の電極ボードの斜視図である。
【図７】不使用状態の電極ボードの説明図である。
【図８】本発明の他の実施形態にかかる演奏装置の概略図である。
【符号の説明】
【００６８】
10  電極ボード
11  支持体
12a 第１凹部
12b 第２凹部
12c 第３凹部
12d 第４凹部
13a 第１電極
13b 第２電極
13c 第３電極
13d 第４電極
15  通電検出回路
16  送信機
17  回路ボックス
18  駆動電源
19  送信用アンテナ
20  保持台
21  受信機
30  ＭＩＤＩ音源
40  スピーカ
L1  第１導線
L2  第２導線
L3  第３導線
L4  第４導線
ｆ  連結アーム
ｇ  電源スイッチ
ｈ  調整ノブ
ｋ  切替スイッチ
【図１】
2008058742.tif 000003
【図２】
2008058742.tif 000004
【図３】
2008058742.tif 000005
【図４】
2008058742.tif 000006
【図５】
2008058742.tif 000007
【図６】
2008058742.tif 000008
【図７】
2008058742.tif 000009
【図８】
2008058742.tif 000010